(57)【要約】      （修正有）【課題】うつ病やうつ傾向の発見法は現在、主に言語の質問に対する返答内容の検討によって行われているため、正確性に欠ける問題点があり、解決する心理テストを提供する。【解決手段】▲１▼描画式心理テストの表現状態を数値化し、その数値の差違により複数に分けたランクと、▲２▼複数の色彩面を設けた色彩表と複数の質問語により選択された色彩との組み合わせを統合し、総合的に判定することにより、うつ病やうつ傾向をより一層正確に査定できるようにし、不正確さの解消を可能とする。【選択図】図７
2017047159.tif 000002
【特許請求の範囲】
【請求項１】
▲１▼描画の表現状態を数値化し、その数値の差違により複数に分けたランクと、▲２▼複数の色彩面を設けた色彩表と、複数の質問語より選択された色彩との組み合わせの結果を統合し、総合的に判定する方法を特徴とする描画と色彩による心理テスト。
【請求項２】
▲１▼描画の表現状態を数値化し、その数値の差違により複数に分けたランクと、▲２▼複数の色彩面を設けた色彩表と、複数の質問語より選択された色彩との組み合わせの結果を統合し、総合的に判定する方法を特徴とする描画と色彩による心理テストにおいて、
被験者に指定の描画用紙に描画表現を求める、
被験者の描画結果を一定の基準に従って数値化する、
数値化された値の差違によってランク化する表を設ける、
以上のような方法を特徴とする描画と色彩による心理テスト。
【請求項３】
複数の色彩面を設けた色彩表と、複数の質問語より選択された色彩との組み合わせによって評価判定する方法を特徴とする、色彩面と質問語との組み合わせを用いた描画と色彩による心理テストにおいて、
質問語に被験者の心理の状態に関係する質問語を設ける、
質問語を記載した質問表を設ける、
質問を受けた被験者の回答を記入する集計表を設ける、
集計表に、描画数値化ランク欄を設ける、
集計表に、選択色彩記録欄を設ける、
集計表に、選択評価欄を設ける、
集計表に、総合査定欄を設ける、
以上のような方法を特徴とする、描画と色彩による心理テスト。
【請求項４】
マウス、キーボード、音声入力装置、タッチパネル入力装置のいずれかによって被験者による操作情報を入力する操作手段を含む請求項１、請求項２、請求項３に記載の、描画と色彩による心理テスト。
【請求項５】
被験者による操作情報の入力は、通信ネットワークを介して接続した端末装置から行われる請求項４に記載の、描画と色彩による心理テスト。
【発明の詳細な説明】
【技術分野】
【０００１】  本発明は、▲１▼被験者の描画の表現状態を数値化し、その数値の差違により分けたランクと、▲２▼複数の色彩面を設けた色彩表と、複数の質問語より選択された色彩との組み合わせの結果を統合し、総合的に判定する方法を特徴とする、描画と色彩による心理テスト。
【背景技術】
【０００２】  従来、うつ病やうつ傾向の発見法は、光トポグラフィーなどの医療器具によるものの他は、言語による質問と返答内容の検討によって行われている。
【発明の概要】
【発明が解決しようとする課題】
【０００３】  従来のうつ病やうつ傾向の発見法には、次のような欠点があった。
光トポグラフィーなどの医療機器を設置している医療機関の不足が問題として指摘され、また言語による質問と返答内容の検討による方法は、被験者がうつ病などに対する不安による自己暗示にかかり、思い込みによる返答をしてしまう場合があるなど正確さに欠けるとの問題が指摘されている。【０００４】  本発明は、以上のような従来の方法が有してきた問題点に鑑み、被験者の描画の表現状態を数値化しランク分けを可能とし、また被験者の心理状態を選択色彩で表して描画の表現状態で分けられたランクと組み合わせる方法を提供することによって、うつ病やうつ傾向の、より正確な早期発見に寄与する。
【課題を解決するための手段】
【０００５】  前記の課題を解決するため、本発明の描画と色彩による心理テストは、図１で例示するように、被験者に一定の描画表現を求める。図１は被験者に求める描画表現の一例として、ワルテッグ・テスト（ＷＺＴ）用紙１を利用した場合である。
ワルテッグ・テスト（ＷＺＴ）用紙１は、１９世紀にドイツ人によって開発された用紙で、８つの枠と、枠内にドイツ語でツァイヒェン２と呼ばれる印が付けられている。【０００６】  質問者は被験者に筆記具をとワルテッグ・テスト（ＷＺＴ）用紙１を渡し、「８つの枠全てに何か描いてください」と依頼する。【０００７】  質問者は被験者が描き終わったらワルテッグ・テスト（ＷＺＴ）用紙１を受け取り、描画の表現状態を図４のワルテッグ・テスト（ＷＺＴ）描画評価表３の基準に従って数値化する。【０００８】  図４に例示のワルテッグ・テスト（ＷＺＴ）描画評価表３の評価項目列４と評価数値５は、以下の通りである。
Ａ．３枠の右上に表現のない描画：数値１点。
Ｂ．３筆以下での表現が２枠の描画：数値１点。
Ｃ．３筆以下での表現が３枠以上の描画：数値２点。
Ｄ．単純対称配置の表現が２枠以上の描画：数値２点。
Ｅ．単純対称配置の表現が３枠以上の描画：数値３点。
Ｆ．表現できなかった枠が１枠の描画：数値３点。
Ｇ．表現できなかった枠が２枠の描画：数値４点。
Ｈ．以下、省略。【０００９】  上記の数値合計が１０点以上の場合は第１ランク６、５点以上の場合は第２ランク７、５点未満の場合は第３ランク８に振り分けられる。【００１０】  図２は、第３ランク被験者の描画９の表現状態を表す一例である。
図２の描画の表現状態を図４のワルテッグ・テスト（ＷＺＴ）描画評価表３で数値化し、ランク分けすると、２枠と５枠を合わせて第３ランクの被験者のＢ行の数値１点１０に該当、同じく２枠と５枠を合わせて第３ランクの被験者のＤ行の数値２点１１に該当、合計数値３となって第３ランク１２に振り分けられる。【００１１】  上記の被験者に、図５で例示する選択色彩質問語表示欄１３付き色彩表１４を示し、図６の色彩選択質問表１５の各質問語１６を行い、色彩の選択を求める。【００１２】  図５の選択色彩質問語表示欄１３付き色彩表１４に表示の色彩面１７の色彩は、クリーム色１８、サーモンピンク色１９、黒色２０、グレー色２１、青色２２、焦げ茶色２３、赤紫色２４、紫色２５、赤色、青緑色、橙色、黄緑色、群青色、黄色、葡萄色、緑色、白色の合計１７色である。【００１３】  上記の被験者が選択した色彩を、図７で例示する「描画と色彩による心理テスト総合評価表」２６のＷＺＴ判定列２７の第３ランク行２８と、選択色彩番号列２９の第３ランク行の双方に該当する行の総合査定列３０が、同被験者の最終的な査定結果となる。【００１４】  描画と色彩による心理テストの総合査定列の段階は、うつ病やうつ傾向の重い方から、警戒要１、警戒要２、注意要１、注意要２、標準２、標準１の６段階である。【００１５】  図３は、第１ランク被験者の描画３１の表現状態を表す一例である。
前記の要領で図４を用いて数値化しランク分けすると、３枠がＡ行の数値１点３２に該当、４枠と５枠と６枠を合わせてＣ行の数値２点３３に該当、４枠と５枠と６枠を合わせてＥ行の数値３点３４に該当、２枠と７枠を合わせてＧ行の数値４点３５に該当、合計数値１０点となって第１ランク３６に振り分けられる。【００１６】  上記の被験者に、図５で例示する質問語表示欄１３付き色彩表１４を示し、図６の色彩選択質問表１５の各質問を行い、色彩の選択を求める。【００１７】  上記の被験者が選択した色彩を、図７で例示する「描画と色彩による心理テスト総合評価表」２６のＷＺＴ判定列２７の第１ランク行と、選択色彩番号列２９の第１ランク行の双方に該当する行の総合査定列３０が、同被験者の最終的な査定結果となる。
【発明の効果】
【００１８】  本発明の描画と色彩による心理テストを用い、医療機関に２年半以上通院中のうつ病の方々３７名に施行してみたところ、３３名について総合査定が警戒要１に該当し、本発明の有効性が確認された。【００１９】  なお図５、図６は、選択色彩質問語表示欄１３付き色彩表１４をタブレット画面に表示し、選択色彩質問語表示欄１３に選択色彩質問語１６を表示して被験者はそれを見ながら色彩面１８、色彩面１９などを任意に選べば自動的に入力され、その後も自動的に集計と評価作業などができるように電子化したものの、仕組みを説明した一例を示すものである。
なお本発明の方法は、質問語および色彩表などをプリントし、被験者に見せながら読ませたり聞かせたりして選択回答を得る方法などの実施法も可能である。【００２０】  本発明の方法によれば、うつ病に対する不安などから自己暗示にかかり、思い込みによる返答をして発見の遅れにつながることを未然に防ぐことが可能となる。
【図面の簡単な説明】
【００２１】
【図１】本発明の一実施形態を示す、ワルテッグ・テスト（ＷＺＴ）用紙である。
【図２】本発明の一実施形態を示す、第３ランク被験者の描画表現状態例である。
【図３】本発明の一実施形態を示す、第１ランク被験者の描画表現状態例である。
【図４】本発明の一実施形態を示す、ワルテッグ・テスト（ＷＺＴ）描画評価表である。
【図５】本発明の一実施形態を示す、選択色彩質問語表示欄付き色彩表である。
【図６】本発明の一実施形態を示す、色彩選択質問語表である。
【図７】本発明の一実施形態を示す、描画と色彩による心理テスト総合評価表である。
【発明を実施するための形態】
【００２２】  以下、本発明を実施するための形態について、一例を示す図を用いて説明する。
本発明の実施者は、図１のワルテッグ・テスト（ＷＺＴ）用紙１を渡し、被験者に描画を依頼する。
描画完成後、図４のワルテッグ・テスト（ＷＺＴ）描画評価表３に従って３段階のランクに振り分ける。
【００２３】  被験者に図５の質問語表示欄１３付き色彩表１４を、タッチパネル式タブレット画面で表示する。
【００２４】  被験者に、質問語表示欄１３に表示される図６の色彩選択質問表１５中の選択色彩質問語１６を読ませたり聞かせたりした上で、イメージに合う色彩面１８、色彩面１９、色彩面２０などから任意の色彩面をタッチするよう依頼する。
【００２５】  被験者が任意の色彩面をタッチする度に、図７の描画と色彩による心理テスト総合評価表２０の選択色彩番号２７列の該当行に入力する。
【００２６】  本発明の実施者は、集計した結果から、被験者がうつ病やうつ傾向の状態か否かについて総合査定する。
【符号の説明】
【００２７】  １  ワルテッグ・テスト（ＷＺＴ）用紙
２  ツァイヒェン
３  ワルテッグ・テスト（ＷＺＴ）描画評価表
４  評価項目列
５  数値
６  第１ランク
７  第２ランク
８  第３ランク
９  第３ランクの被験者の描画
１０  第３ランクの被験者の描画Ｂ行の数値
１１  第３ランクの被験者の描画Ｄ行の数値
１２  第３ランク行
１３  選択色彩質問語表示欄
１４  色彩表
１５  色彩選択質問語表
１６  選択色彩質問語
１７  色彩面
１８  クリーム色
１９  サーモンピンク色
２０  黒色
２１  灰色
２２  青色
２３  焦げ茶色
２４  赤紫色
２５  紫色
２６  描画と色彩による心理テスト総合評価表
２７  ＷＺＴ判定列
２８  ＷＺＴ判定列第３ランク行
２９  選択色彩番号列
３０  総合査定列
３１  第１ランクの被験者の描画
３２  第１ランクの被験者のＡ行の数値
３３  第１ランクの被験者のＣ行の数値
３４  第１ランクの被験者のＥ行の数値
３５  第１ランクの被験者のＧ行の数値
３６  第１ランク行
【図１】
2017047159.tif 000003
【図２】
2017047159.tif 000004
【図３】
2017047159.tif 000005
【図４】
2017047159.tif 000006
【図５】
2017047159.tif 000007
【図６】
2017047159.tif 000008
【図７】
2017047159.tif 000009